(57)【要約】      （修正有）【課題】ボトルが備える液体流出口に螺着可能で、発光部位を増大させ得ることができる発光装置を提供する。【解決手段】発光装置１００は、流出口２２０にて螺着されている状態において、充填された液体２１０側に向かう第１方向Ａへ光を照射する第１光源２３と、第１方向Ａと反対側に向かう第２方向Ｂへ光を照射する第２光源２４と、を備える。これにより、第１方向Ａに加え第２方向Ｂへも光が照射されるため、光の照射の方向が、一方向のみである場合に比して、発光部位を増大させることができる。【選択図】図１
0003230113.tif 000002
【実用新案登録請求の範囲】
【請求項１】
液体が流出するための流出口を備え前記流出口にキャップが螺着されることで前記液体を充填可能とするボトルに適用される発光装置であって、前記キャップに代えて、前記流出口にて螺着可能に構成された発光装置において、
前記流出口にて螺着されている状態において、前記充填された液体側に向かう第１方向へ光を照射するとともに、前記第１方向と反対側に向かう第２方向へ光を照射する光源を備えた発光装置。
【請求項２】
請求項１に記載の発光装置において、
前記光源は、
少なくとも、第１光源および第２光源の２つにて構成され、
前記第１光源および前記第２光源は、
前記第１方向および前記第２方向へそれぞれ光を照射するように構成された発光装置。
【請求項３】
請求項２に記載の発光装置において、
前記第１光源による光の照射を、オン状態またはオフ状態の何れかに切り替えるとともに、前記第２光源による光の照射を、オン状態またはオフ状態の何れかに切り替えるスイッチを更に備えた発光装置。
【請求項４】
請求項３に記載の発光装置において、
前記スイッチは、
前記第１光源および前記第２光源の光の照射が両方とも前記オフ状態である状態から、第１状態および第２状態のうち何れかの一方に切り替えが可能に構成され、
前記第１状態として、前記第１光源および前記第２光源による前記光の照射が両方とも前記オン状態となる状態が維持されるとともに、
前記第２状態として、前記第１光源および前記第２光源のうち何れか一方による前記光の照射が前記オン状態となり、他方による前記光の照射が前記オフ状態となる状態が維持される発光装置。
【請求項５】
請求項４に記載の発光装置において、
前記スイッチは、
プッシュ式スイッチであって、前記スイッチの１回目のプッシュに応じて、前記第１光源および前記第２光源の光の照射が両方とも前記オフ状態である状態から、前記第１状態および前記第２状態のうち何れか一方に切り替えが可能に構成された発光装置。
【請求項６】
請求項５に記載の発光装置において、
前記スイッチは、
前記１回目のプッシュの後の２回目のプッシュに応じて、前記第１状態および前記第２状態のうち何れか一方から、残りの他方に切り替えが可能に構成された発光装置。
【請求項７】
請求項１乃至請求項６の何れか一項に記載の発光装置において、
前記光源、前記光源と接続される回路、および前記回路を介して前記光源に給電するバッテリを内蔵するように構成されるとともに、前記流出口と螺合するネジを備えたケース部を、更に備えた発光装置。
【請求項８】
請求項７に記載の発光装置において、
前記光源は、
少なくとも、第１光源および第２光源の２つにて構成され、
前記第１光源および前記第２光源は、
前記第１方向および前記第２方向へそれぞれ光を照射するように構成され、
前記光源と接続される前記回路は、
前記第１光源と接続される第１回路および前記第２光源と接続される第２回路の２つにて構成され、
前記ケース部は、
前記流出口にて螺着されている状態において、前記流出口から上に向かって、前記第１光源、前記第１回路、前記バッテリ、前記第２回路、および前記第２光源の順序で配置されるように、前記光源、前記回路、および前記バッテリが内蔵されるように構成された発光装置。
【請求項９】
請求項８に記載の発光装置において、
前記ケース部は、
前記バッテリを収容した状態で前記ケース部に装脱着可能に構成されたバッテリケースを更に備え、前記バッテリケースの装脱着にて前記バッテリの交換が可能なように構成された発光装置。
【請求項１０】
請求項７乃至請求項９の何れか一項に記載の発光装置において、
前記ケース部と接続されるとともに、前記第２方向へ照射される光が入射可能なように構成された立体構造部を、更に備えた発光装置。
【請求項１１】
請求項１０に記載の発光装置において、
前記立体構造部は、
前記第２方向へ照射される光の前記入射により、発光を呈する材料で構成された発光装置。
【考案の詳細な説明】
【技術分野】
【０００１】
本考案は、ボトルに適用される発光装置に関する。
【背景技術】
【０００２】
近年、ペットボトルの有効利用等が要望されている。その一例として、ボトルが備える液体流出口に螺着可能な発光装置が、開発されてきている。この種の発光装置では、ボトルに螺着された状態において、その光源からボトル内部の液体に向けて、光が照射されるようになっているものが多い。これにより、照射された光が液体に入射し、ボトルがランタンの様に発光を呈する。このようにして、有効利用が可能となる（例えば、特許文献を参照）。
【先行技術文献】
【特許文献】
【０００３】
【特許文献１】特開２００２−０８３５０１号公報
【特許文献２】実用新案登録第３２１３８６４号公報
【考案の概要】
【０００４】
この種の発光装置においては、デザイン性の向上や広告利用等の観点で、発光部位を増大させる要望がある。上述の発光装置では、ボトルに螺着された状態において、その光源からボトル内部の液体に向けて、光が照射される。光の照射の方向は、一方向のみであるため、発光部位はボトルのみに留まっていた。このため、上述の要望に応えることが困難である。
【０００５】
本考案の目的は、ボトルに適用される発光装置において、発光部位を増大させ得るものを提供することにある。
【０００６】
本考案による発光装置は、液体が流出するための流出口を備え流出口にキャップが螺着されることで液体を充填可能とするボトルに適用される。本考案による発光装置は、キャップに代えて、流出口にて螺着可能に構成される。
【０００７】
本考案による発光装置の特徴は、流出口にて螺着されている状態において、充填された液体側に向かう第１方向へ光を照射するとともに、第１方向と反対側に向かう第２方向へ光を照射する光源を備えたことにある。
【０００８】
これによれば、第１方向に加え第２方向へも光が照射されるため、光の照射の方向が、一方向のみである場合に比して、発光部位を増大させることができる。
【０００９】
上記考案に係る発光装置においては、光源が、少なくとも、第１光源および第２光源の２つにて構成され、第１光源および第２光源が、第１方向および第２方向へそれぞれ光を照射するように構成されると好適である。
【００１０】
上記考案に係る発光装置においては、第１光源による光の照射を、オン状態またはオフ状態の何れかに切り替えるとともに、第２光源による光の照射を、オン状態またはオフ状態の何れかに切り替えるスイッチが、更に備えられてもよい。
【００１１】
ここにおいて、スイッチが、第１光源および第２光源の光の照射が両方ともオフ状態である状態から、第１状態および第２状態のうち何れかの一方に切り替えが可能に構成され、第１状態として、第１光源および第２光源による光の照射が両方ともオン状態となる状態が維持されるとともに、第２状態として、第１光源および第２光源の何れか一方による光の照射がオン状態となり、他方による光の照射がオフ状態となる状態が維持されるように構成されると好適である。
【００１２】
さらに、スイッチが、プッシュ式スイッチであって、スイッチの１回目のプッシュに応じて、第１光源および第２光源の光の照射が両方ともオフ状態である状態から、第１状態および第２状態のうち何れかの一方に切り替えが可能に構成されるとより好適である。
【００１３】
さらに、スイッチが、１回目のプッシュの後の２回目のプッシュに応じて、第１状態および第２状態のうち何れか一方から、残りの他方に切り替えが可能に構成されると更に好適である。
【００１４】
上記考案に係る発光装置においては、光源、光源と接続される回路、および回路を介して光源に給電するバッテリを内蔵するように構成されるとともに、流出口と螺合するネジを備えたケース部が、更に備えられてもよい。
【００１５】
ここにおいて、光源が、少なくとも、第１光源および第２光源の２つにて構成され、第１光源および第２光源が、第１方向および第２方向へそれぞれ光を照射するように構成され、光源と接続される回路が、第１光源と接続される第１回路および第２光源と接続される第２回路の２つにて構成され、ケース部が、流出口にて螺着されている状態において、流出口から上に向かって、第１光源、第１回路、バッテリ、第２回路、および第２光源の順序で配置されるように、光源、回路、およびバッテリが内蔵されるように構成されると好適である。
【００１６】
さらに、ケース部が、バッテリを収容した状態でケース部に装脱着可能に構成されたバッテリケースを更に備え、バッテリケースの装脱着にてバッテリの交換が可能なように構成されると更に好適である。
【００１７】
上記考案に係る発光装置においては、ケース部と接続されるとともに第２方向へ照射される光が入射可能なように構成された立体構造部が、更に備えられると好適である。
【００１８】
ここにおいて、立体構造部が、第２方向へ照射される光の入射により、発光を呈する材料で構成されると更に好適である。
【図面の簡単な説明】
【００１９】
【図１】本考案の実施形態に係る発光装置がボトルに適用された状態を説明するための図である。
【図２】図１に示した発光装置を構成する各要素を説明するための図である。
【図３】図１に示した発光装置におけるスイッチによる作動を説明するための図である。
【図４】図１に示した発光装置におけるスイッチによる作動を説明するための図である。
【図５】図１に示した発光装置におけるスイッチによる作動を説明するための図である。
【図６】本考案の実施形態の変形例を説明するための図である。
【考案を実施するための形態】
【００２０】
以下、本考案による発光装置の実施形態について図面を参照しつつ説明する。
【００２１】
図１は、本考案の実施形態に係る発光装置１００がボトル２００に適用された状態を説明するための図である。この発光装置１００は、ボトル２００に適用される。ボトル２００は、液体２１０が流出するための流出口２２０を備えている。流出口２２０には、図示しないキャップが螺着されるように、ネジ山２３０が備えられている。ボトル２００は、キャップが流出口２２０に螺着されることで、液体２１０を充填可能に構成されている。ここにおいて、ボトル２００は、飲料用のペットボトル等であり、流出口２２０を備えているものであればよく、形状や素材など限定されない。
【００２２】
図２は、発光装置１００を構成する各要素を説明するための図である。図１および図２を参照しつつ、発光装置１００の構成を説明する。発光装置１００は、ケース部１０と、モジュール部２０と、立体構造部３０と、を備えている。
【００２３】
ケース部１０は、ロアケース１１と、アッパケース１２と、バッテリケース１３とを備えている。
【００２４】
ロアケース１１は、段付き筒状に形成されており、ロアケース１１の一端１１ａ側の内側には、上記ネジ山２３０と螺合するネジ１１ｂを備えている。このネジ１１ｂは、ロアケース１１の一端１１ａから、ボトル２００の流出口２２０にねじ込み可能に構成されている。このロアケース１１により、発光装置１００は、上記キャップに代えて、流出口２２０に螺着可能となっている。また、ロアケース１１の他端１１ｃは、アッパケース１２の内側に挿入されて接続されるようになっている。さらに、ロアケース１１は、一端１１ａおよび他端１１ｃの中間位置の内側に、第１回路２１を係止し固定可能に構成されている。
【００２５】
アッパケース１２は、キャップ状に形成されており、ロアケース１１と同軸的に接続されている。アッパケース１２は、モジュール部２０を覆うように内蔵・固定可能に構成されている。アッパケース１２の側面には、切欠き部１２ａが、備えられている。この切欠き部１２ａは、バッテリケース１３が嵌合可能に形成されている。アッパケース１２の頂面には、スイッチ２６と嵌合する嵌合孔１２ｂと、立体構造部３０と嵌合する嵌合孔１２ｃとが、備えられている。
【００２６】
バッテリケース１３は、バッテリ２５を収容可能に形成されている。バッテリ２５を収容した状態で、アッパケース１２の切欠き部１２ａに嵌合されるようになっている。即ち、アッパケース１２の側面にて、バッテリケース１３をスライドさせて、バッテリケース１３が装脱着されるようになっている。バッテリケース１３の装着時には、バッテリ２５の電極が第１回路２１および第２回路２２と接続可能となるように、バッテリケース１３にバッテリ２５が収容される。バッテリケース１３の脱着時には、収容されていたバッテリ２５がバッテリケース１３から取り出せるとともに、取り出し後には他のバッテリ２５が収容できるようになっている。
【００２７】
モジュール部２０は、第１回路２１と、第２回路２２と、第１光源２３と、第２光源２４と、バッテリ２５と、スイッチ２６と、を備えている。
【００２８】
第１回路２１および第２回路２２は、第１光源２３および第２光源２４に光を照射させるための電気配線基板である。第１回路２１の表面２１ａおよび第２回路２２の表面２２ａには、第１光源２３および第２光源２４が、それぞれ配設されている。第１回路２１および第２回路２２は、第１光源２３および第２光源２４と、それぞれ電気的に接続されている。第１回路２１の裏面２１ｂおよび第２回路２２の裏面２２ｂにて、バッテリ２５が挟み込まれるように介装されている。第１回路２１および第２回路２２は、バッテリ２５とも電気的に接続される。これにより、第１光源２３および第２光源２４は、第１回路２１および第２回路２２を介して、バッテリ２５から給電されるようになっている。これらの位置関係としては、発光装置１００が流出口２２０にて螺着されている状態において、流出口２２０から上に向かって、第１光源２３、第１回路２１、バッテリ２５、第２回路２２、および第２光源２４は、この順序で配置される。なお、出荷時においては、第２回路２２の裏面２２ｂと、バッテリ２５との間に、絶縁シール４０を介装しておいてもよい。この絶縁シール４０を引き抜くことで、使用可能となる。
【００２９】
第１光源２３および第２光源２４は、例えば、ＬＥＤ等であってバッテリ２５にて発光する光源であれば、限定されない。発光装置１００が、流出口２２０にて螺着されている状態において、モジュール部２０から液体２１０に向かう方向を、第１方向Ａとする。第１方向Ａと反対側に向かう方向を第２方向Ｂとする。上記のように配置された第１光源２３は、第１方向Ａへ光を照射するようになっている。第２光源２４は、第２方向Ｂへ光を照射するようになっている。
【００３０】
バッテリ２５は、例えば、ボタン電池等であって、第１光源２３および第２光源２４を発光させるための電圧・容量を有していれば、型式・個数等限定されない。さらに、バッテリ２５は、必要に応じて、バッテリケース１３から取り出され交換されると好適である。
【００３１】
スイッチ２６は、アッパケース１２の頂面における嵌合孔１２ｂと嵌合するよう、第２回路２２の表面２２ａに配設置されている。スイッチ２６は、第１光源２３および第２光源２４と、バッテリ２５とのそれぞれの電気的接続を維持・遮断できるようになっている。スイッチ２６は、プッシュ式のスイッチであり、プッシュに応じて、上記電気的接続の維持・遮断を切り替え可能に構成されている。第１光源２３およびバッテリ２５の電気的接続が維持されているとき、第１光源２３はオン状態となり、第１光源２３より光が照射される。スイッチ２６の作動により、この電気的接続が遮断されるとき、第１光源２３はオフ状態となり、第１光源２３より光は照射されない。第２光源２４についても、同様である。
【００３２】
立体構造部３０は、左右対称に形成されており、円板３１と、円板３１の端部に形成された凸部３２と、を備えている。凸部３２が、アッパケース１２の頂面における嵌合孔１２ｃに嵌合されることで、ケース部１０と同軸的に接続されている。立体構造部３０は、第２光源２４の第２方向Ｂへ照射される光が、凸部３２から入射可能なようになっている。また、立体構造体３０は、この光の入射により、発光を呈する材料で構成されている。立体構造部３０の形状や、円板３１に付されるモチーフは、任意であるが、例えば、広告等の観点から、イベントや企業のロゴマーク等を模した形状・モチーフなどが採用され得る。発光装置１００を適用したボトルは、ランタンのような照明器具として用いることができる他、イベント等において使用されるペンライトの代用品として用いることもできる。
【００３３】
図３、図４、および図５は、発光装置１００におけるスイッチ２６による作動を説明するための図である。図３に示すように、スイッチ２６により、第１光源２３および第２光源２４と、バッテリ２５との電気的接続は、遮断されているものとする。このとき、第１光源２３および第２光源２４において、両方ともオフ状態が維持され、光が照射されない。このときのスイッチ２６のプッシュ回数を、０回目とする。
【００３４】
スイッチ２６の１回目のプッシュに応じて、図４に示すように、第１光源２３および第２光源２４と、バッテリ２５との電気的接続が復帰する。このため、第１光源２３および第２光源２４において、両方ともオン状態が維持されるよう切り替わる。第１光源２３からは、第１方向Ａへ光が照射される。照射された光は、ボトル２００の液体２１０に到達し得る。これにより、ボトル２００が発光を呈する。
【００３５】
加え、第２光源２４からは、第２方向Ｂへ光が照射される。照射された光は、立体構造部３０の凸部３２から入射する。立体構造部３０は、入射された光により、発光を呈する材料で構成されている。これにより、立体構造物３０が発光を呈する。このように、第１方向Ａに加え第２方向Ｂへも光が照射されるため、光の照射の方向が、一方向のみである場合に比して、発光部位を増大させることができる。このときの第１光源２３および第２光源２４の状態を、第１状態とする。
【００３６】
スイッチ２６の１回目の後の２回目のプッシュに応じて、図５に示すように、第１光源２３とバッテリ２５との電気的接続のみ遮断されるとともに、第２光源２４とバッテリ２５との電気的接続が維持される。このため、第１光源２３においては、オフ状態が維持されるよう切り替わる。第２光源２４においては、オン状態が維持される。これにより、第１方向Ａへ照射されていた光のみ消灯し、第２方向Ｂへの光の照射は維持される。ボトル２００の発光が不要な場合には、第１光源２３をオフ状態として、バッテリ２５を長持ちさせることができる。このときの第１光源２３および第２光源２４の状態を、第２状態とする。
【００３７】
上述のように、本実施形態においては、スイッチ２６の１回目のプッシュに応じて、第１光源２３および第２光源２４の光の照射が両方ともオフ状態である状態（図３を参照）から、第１状態（図４を参照）への切り替えが達成される。また、スイッチ２６の２回目のプッシュに応じて、第１状態（図４を参照）から第２状態（図５を参照）への切り替えが達成される。
【００３８】
これに代えて、上記実施形態の変形例として、第２状態について下記構成が用いられてもよい。例えば、図６に示すように、第２状態として、第１光源２３がオン状態、第２光源２４がオフ状態となる状態が維持されてもよい。図６は、変形例を説明するための図であり、上記図５に対応している。これにより、第１方向Ａへの光の照射は維持され、第２方向Ｂへ照射されていた光のみ消灯する。立体構造部３０の発光が不要な場合には、第２光源２４をオフ状態として、バッテリ２５を長持ちさせることができる。
【００３９】
また、他の変形例として、スイッチ２６の１回目のプッシュに応じて、第１光源２３および第２光源２４の光の照射が両方ともオフ状態である状態（図３を参照）から、第２状態（図５または図６を参照）への切り替えが達成され、スイッチ２６の２回目のプッシュに応じて、第２状態（図５または図６を参照）から第１状態（図４を参照）への切り替えが達成されるように、スイッチ２６が構成されてもよい。
【００４０】
なお、本考案による発光装置における構成要素の形状、材料等は、実用新案登録請求の範囲のものであればよく、上記実施形態のものに限定されない。
【符号の説明】
【００４１】
１００…発光装置、１０…ケース部、１１ｂ…ネジ、１３…バッテリケース、２１…第１回路、２２…第２回路、２３…第１光源、２４…第２光源、２５…バッテリ、２６…スイッチ、３０…立体構造部、２００…ボトル、２１０…液体、２２０…流出口、Ａ…第１方向、Ｂ…第２方向。
【図１】
0003230113.tif 000003
【図２】
0003230113.tif 000004
【図３】
0003230113.tif 000005
【図４】
0003230113.tif 000006
【図５】
0003230113.tif 000007
【図６】
0003230113.tif 000008